(57)【要約】【課題】製造コストを低減できるプロジェクターを提供すること。【解決手段】プロジェクターは、照明光軸が設定され、第１照明系を構成する第１光学部品と、第１照明系とは特性が異なる第２照明系を構成する第２光学部品とのいずれかを保持する保持筐体を備え、第１光学部品と第２光学部品とは、同じ機能を有し、かつ、光軸に沿う方向における寸法が異なり、保持筐体は、第１光学部品を保持する第１保持部と、第２光学部品を保持する第２保持部と、を有し、第１保持部と第２保持部とは、照明光軸における位置が異なる。【選択図】図３
2018151463.tif 000002
【特許請求の範囲】
【請求項１】
照明光軸が設定され、第１照明系を構成する第１光学部品と、前記第１照明系とは特性が異なる第２照明系を構成する第２光学部品とのいずれかを保持する保持筐体を備え、
前記第１光学部品と前記第２光学部品とは、同じ機能を有し、かつ、光軸に沿う方向における寸法が異なり、
前記保持筐体は、
前記第１光学部品を保持する第１保持部と、
前記第２光学部品を保持する第２保持部と、を有し、
前記第１保持部と前記第２保持部とは、前記照明光軸における位置が異なることを特徴とするプロジェクター。
【請求項２】
請求項１に記載のプロジェクターにおいて、
光源装置と、
前記光源装置から出射された光を複数の色光に分離する色分離装置と、
前記複数の色光のうち、光路長が他の色光より長い第１色光の光路上に設けられるリレー装置と、
前記第１色光及び前記他の色光に応じて設けられ、前記第１色光及び前記他の色光を変調する複数の光変調装置と、
前記複数の光変調装置によって変調された光を投射する投射光学装置と、を備え、
前記リレー装置は、前記第１光学部品であるレンズ、及び、前記第２光学部品であるレンズのうち一方を有することを特徴とするプロジェクター。
【請求項３】
請求項２に記載のプロジェクターにおいて、
前記リレー装置は、
前記色分離装置によって分離された前記第１色光が入射される入射側レンズと、
前記入射側レンズから入射される前記第１色光を反射させる第１反射部材と、
前記第１反射部材にて反射された前記第１色光が入射されるリレーレンズと、
前記リレーレンズから入射される前記第１色光を反射させて、前記複数の光変調装置のうち、前記第１色光に応じて設けられる光変調装置に導く第２反射部材と、を備え、
前記入射側レンズは、前記第１光学部品である第１入射側レンズ、及び、前記第２光学部品である第２入射側レンズのいずれかであり、
前記リレーレンズは、前記第１光学部品である第１リレーレンズ、及び、前記第２光学部品である第２リレーレンズのいずれかであり、
前記保持筐体は、
前記第１入射側レンズを保持する第１入射側レンズ保持部と、
前記第２入射側レンズを保持する第２入射側レンズ保持部と、
前記第１リレーレンズを保持する第１リレーレンズ保持部と、
前記第２リレーレンズを保持する第２リレーレンズ保持部と、を有し、
前記第１入射側レンズ保持部及び前記第１リレーレンズ保持部は、前記第１保持部であり、
前記第２入射側レンズ保持部及び前記第２リレーレンズ保持部は、前記第２保持部であることを特徴とするプロジェクター。
【請求項４】
請求項３に記載のプロジェクターにおいて、
前記第１入射側レンズ保持部は、前記照明光軸において前記第２入射側レンズ保持部の光路上流に位置し、
前記第１リレーレンズ保持部は、前記照明光軸において前記第２リレーレンズ保持部の光路上流に位置し、
前記入射側レンズが前記第１入射側レンズ保持部に保持される場合には、前記リレーレンズは、前記第１リレーレンズ保持部によって保持され、
前記入射側レンズが前記第２入射側レンズ保持部に保持される場合には、前記リレーレンズは、前記第２リレーレンズ保持部によって保持されることを特徴とするプロジェクター。
【請求項５】
請求項１から請求項４のいずれか一項に記載のプロジェクターにおいて、
前記保持筐体は、
前記第１保持部及び前記第２保持部を有する第１筐体と、
前記第１筐体と組み合わされる第２筐体と、を有し、
前記第１保持部及び前記第２保持部は、前記第１光学部品及び前記第２光学部品の位置を規定する基準部を有し、
前記第２筐体は、前記第１保持部に保持された前記第１光学部品、及び、前記第２保持部に保持された前記第２光学部品を前記基準部に押圧する押圧部を有することを特徴とするプロジェクター。
【発明の詳細な説明】
【技術分野】
【０００１】
本発明は、プロジェクターに関する。
【背景技術】
【０００２】
従来、スクリーン等の被投射面上に画像を投射するプロジェクターが知られている。このようなプロジェクターとして、光源装置と、当該光源装置から出射される光を変調して画像情報に応じた画像を形成する光変調装置と、形成された画像を投射する投射光学装置と、光源装置から出射された光の光路上に配置される複数の光学部品と、当該複数の光学部品を収容する光学部品用筐体と、を備えたプロジェクターが知られている。
【０００３】
このようなプロジェクターの製造時には、設計上の光軸である照明光軸が設定された上記光学部品用筐体における所定の位置に、上記複数の光学部品を配置する必要がある。これに対し、当該光学部品用筐体に配置された光学部品の光軸調整を行う光軸調整装置が知られている（例えば、特許文献１参照）。
【先行技術文献】
【特許文献】
【０００４】
【特許文献１】特開２００４−４５６２号公報
【発明の概要】
【発明が解決しようとする課題】
【０００５】
ところで、上記光学部品用筐体は、プロジェクターの仕様等に応じて製造されることが一般的である。
具体的に、光変調装置のアスペクト比や解像度等の仕様を変更すると、当該光変調装置に入射される光を出射する照明系を変更する必要があるので、光源装置から出射された光の光路上における光学部品の配置位置が、同じ機能を有する光学部品であっても変化する。このため、既存の光学部品用筐体を利用しようとしても、適切な位置に光学部品を配置できないことから、光学部品用筐体を設計及び製造し直す必要がある。
しかしながら、光学部品用筐体を設計及び製造し直すことは、当該光学部品用筐体、ひいては、プロジェクターの製造コストの増大を招くという問題がある。
【０００６】
一方、光学部品用筐体に複数の溝部を形成し、当該複数の溝部から、プロジェクターの仕様や機種に応じて選択された溝部に光学部品を配置することが考えられる。しかしながら、この場合には、光学部品において有効径の外側にフランジ部を設け、当該フランジ部がいずれの溝部にも挿入可能に構成する必要がある。この場合、光学部品及び光学部品用筐体が大型化し、上記と同様の問題が生じる。
【０００７】
本発明は、上記課題の少なくとも一部を解決することを目的としたものであり、製造コストを低減できるプロジェクターを提供することを目的の１つとする。
【課題を解決するための手段】
【０００８】
本発明の一態様に係るプロジェクターは、照明光軸が設定され、第１照明系を構成する第１光学部品と、前記第１照明系とは特性が異なる第２照明系を構成する第２光学部品とのいずれかを保持する保持筐体を備え、前記第１光学部品と前記第２光学部品とは、同じ機能を有し、かつ、光軸に沿う方向における寸法が異なり、前記保持筐体は、前記第１光学部品を保持する第１保持部と、前記第２光学部品を保持する第２保持部と、を有し、前記第１保持部と前記第２保持部とは、前記照明光軸における位置が異なることを特徴とする。
【０００９】
上記一態様によれば、同じ機能を有し、かつ、光軸に沿う方向における寸法が異なる第１光学部品及び第２光学部品のうち、第１光学部品を用いる場合には、第１保持部を利用して、当該第１光学部品を保持筐体に配置できる。また、第２光学部品を用いる場合には、第２保持部を利用して、当該第２光学部品を保持筐体に配置できる。これら第１保持部及び第２保持部は、照明光軸における位置が異なるので、光学部品を配置する保持部を、第１保持部及び第２保持部から選択して利用することによって、第１照明系及び第２照明系を構成できる。これにより、構成する照明系に合わせて保持筐体を設計及び製造し直す必要がなく、保持筐体を共通して利用できる。従って、保持筐体の設計及び製造コストを低減でき、ひいては、プロジェクターの製造コストを低減できる。
また、光軸に沿う方向における寸法が異なる第１光学部品及び第２光学部品を保持筐体に配置できるので、これら光学部品にフランジ部を設ける必要がない。従って、当該光学部品及び保持筐体が大型化することを抑制できる。
【００１０】
上記一態様では、光源装置と、前記光源装置から出射された光を複数の色光に分離する色分離装置と、前記複数の色光のうち、光路長が他の色光より長い第１色光の光路上に設けられるリレー装置と、前記第１色光及び前記他の色光に応じて設けられ、前記第１色光及び前記他の色光を変調する複数の光変調装置と、前記複数の光変調装置によって変調された光を投射する投射光学装置と、を備え、前記リレー装置は、前記第１光学部品であるレンズ、及び、前記第２光学部品であるレンズのうち一方を有することが好ましい。
ここで、上記のように、光学部品によって構成される照明系は、プロジェクター（光変調装置）の仕様に応じて変更される必要がある。例えば、リレー装置のレンズは、当該仕様に応じて選択されて利用される。
これに対し、上記構成によれば、リレー装置における上記光学部品としてのレンズを、プロジェクターの仕様に合わせて、上記第１保持部及び第２保持部のいずれかに配置できる。従って、当該仕様に合わせた照明系を確実に構成できる。
【００１１】
上記一態様では、前記リレー装置は、前記色分離装置によって分離された前記第１色光が入射される入射側レンズと、前記入射側レンズから入射される前記第１色光を反射させる第１反射部材と、前記第１反射部材にて反射された前記第１色光が入射されるリレーレンズと、前記リレーレンズから入射される前記第１色光を反射させて、前記複数の光変調装置のうち、前記第１色光に応じて設けられる光変調装置に導く第２反射部材と、を備え、前記入射側レンズは、前記第１光学部品である第１入射側レンズ、及び、前記第２光学部品である第２入射側レンズのいずれかであり、前記リレーレンズは、前記第１光学部品である第１リレーレンズ、及び、前記第２光学部品である第２リレーレンズのいずれかであり、前記保持筐体は、前記第１入射側レンズを保持する第１入射側レンズ保持部と、前記第２入射側レンズを保持する第２入射側レンズ保持部と、前記第１リレーレンズを保持する第１リレーレンズ保持部と、前記第２リレーレンズを保持する第２リレーレンズ保持部と、を有し、前記第１入射側レンズ保持部及び前記第１リレーレンズ保持部は、前記第１保持部であり、前記第２入射側レンズ保持部及び前記第２リレーレンズ保持部は、前記第２保持部であることが好ましい。
このような構成によれば、上記仕様に合わせた入射側レンズを、第１入射側レンズ保持部及び第２入射側レンズ保持部のうちの一方に配置できる。同様に、当該仕様に応じたリレーレンズを、第１リレーレンズ保持部及び第２リレーレンズ保持部のうちの一方に配置できる。従って、当該仕様に応じた照明系を、確実に構成できる。
【００１２】
上記一態様では、前記第１入射側レンズ保持部は、前記照明光軸において前記第２入射側レンズ保持部の光路上流に位置し、前記第１リレーレンズ保持部は、前記照明光軸において前記第２リレーレンズ保持部の光路上流に位置し、前記入射側レンズが前記第１入射側レンズ保持部に保持される場合には、前記リレーレンズは、前記第１リレーレンズ保持部によって保持され、前記入射側レンズが前記第２入射側レンズ保持部に保持される場合には、前記リレーレンズは、前記第２リレーレンズ保持部によって保持されることが好ましい。
このような構成によれば、入射側レンズが第１入射側レンズ保持部に配置され、リレーレンズが第１リレーレンズ保持部に配置される場合に構成される照明系と、入射側レンズが第２入射側レンズ保持部に配置され、リレーレンズが第２リレーレンズ保持部に配置される場合に構成される照明系とを、確実に異ならせることができる。従って、異なる照明系を確実に構成できる。
【００１３】
上記一態様では、前記保持筐体は、前記第１保持部及び前記第２保持部を有する第１筐体と、前記第１筐体と組み合わされる第２筐体と、を有し、前記第１保持部及び前記第２保持部は、前記第１光学部品及び前記第２光学部品の位置を規定する基準部を有し、前記第２筐体は、前記第１保持部に保持された前記第１光学部品、及び、前記第２保持部に保持された前記第２光学部品を前記基準部に押圧する押圧部を有することが好ましい。
このような構成によれば、押圧部によって、第１保持部及び第２保持部のそれぞれが有する基準部に光学部品を押圧固定できる。従って、第１保持部及び第２保持部のいずれかに光学部品を配置する場合でも、選択された保持部に光学部品を安定して保持させることができる。
【図面の簡単な説明】
【００１４】
【図１】本発明の一実施形態に係るプロジェクターの構成を示す模式図。
【図２】上記実施形態における光学部品用筐体を示す平面図。
【図３】上記実施形態における部品収納部材の内部構成を示す平面図。
【図４】上記実施形態における部品収納部材の内部構成を示す平面図。
【図５】上記実施形態における蓋部材を部品収納部材側から見た図。
【図６】上記実施形態におけるコンデンサレンズ及びレンズ押圧部を示す模式図。
【図７】上記実施形態におけるリレーレンズ及びレンズ押圧部を示す模式図。
【図８】上記実施形態における入射側レンズ及びリレーレンズがそれぞれ第１保持部に配置された画像投射装置を示す斜視図。
【図９】上記実施形態における入射側レンズ及びリレーレンズがそれぞれ第２保持部に配置された画像投射装置を示す斜視図。
【発明を実施するための形態】
【００１５】
以下、本発明の一実施形態について、図面に基づいて説明する。
［プロジェクターの概略構成］
図１は、本実施形態に係るプロジェクター１の構成を示す模式図である。
本実施形態に係るプロジェクター１は、内部に設けられた光源装置３０から出射された光を変調して画像情報に応じた画像を形成し、当該画像をスクリーン等の被投射面上に拡大投射する。このプロジェクター１は、図１に示すように、外装筐体２と、当該外装筐体２内に収容される装置本体と、を備える。このようなプロジェクター１は、保持筐体としての光学部品用筐体４の構成に特徴の１つを有する。
【００１６】
［装置本体の構成］
装置本体は、画像投射装置３を備える。この他、装置本体は、図示を省略するが、プロジェクター１の動作を制御する制御装置、電子部品に電力を供給する電源装置、及び、冷却対象を冷却する冷却装置を備える。
【００１７】
［画像投射装置の構成］
画像投射装置３は、上記制御装置による制御の下、画像情報に応じた画像を形成及び投射する。この画像投射装置３は、設計上の光軸である照明光軸Ａｘにそれぞれ配置される光源装置３０、均一化装置３１、色分離装置３２、リレー装置３３、画像形成装置３４、投射光学装置３５及び光学部品用筐体４と、を備え、全体として略Ｌ字状の光学ユニットとして構成されている。
【００１８】
［光源装置の構成］
光源装置３０は、均一化装置３１に白色の照明光を出射する。この光源装置３０は、本実施形態では、超高圧水銀ランプ等の放電光源ランプを有する。しかしながら、これに限らず、光源装置３０は、ＬＤ（Laser Diode）やＬＥＤ（Light Emitting Diode）等の固体光源と、当該固体光源から出射された光の波長を変換する波長変換装置と、を有する構成であってもよい。すなわち、光源装置３０の構成は問わない。
【００１９】
［均一化装置の構成］
均一化装置３１は、光源装置３０から入射される照明光の中心軸に対する直交面内の照度を均一化する。この均一化装置３１は、当該照明光の入射順に、第１レンズアレイ３１１、調光装置３１２、第２レンズアレイ３１３、偏光変換素子３１４及び重畳レンズ３１５を有する。
【００２０】
第１レンズアレイ３１１は、小レンズである第１レンズ３１１１が上記直交面内にマトリクス状に複数配列された構成を有する。この第１レンズアレイ３１１は、各第１レンズ３１１１によって、入射される照明光を複数の部分光束に分割する。
調光装置３１２は、レンズアレイ３１１，３１３の間に配置される。この調光装置３１２は、第１レンズアレイ３１１から第２レンズアレイ３１３に入射される部分光束の一部を遮蔽し、これにより、後述する光変調装置３４３に入射される光量を調整する。なお、調光装置３１２は、無くてもよい。
【００２１】
第２レンズアレイ３１３は、上記第１レンズ３１１１に対応する小レンズである第２レンズ３１３１が上記直交面内にマトリクス状に複数配列された構成を有する。これら第２レンズ３１３１は、対応する第１レンズ３１１１から入射される部分光束を、重畳レンズ３１５とともに、後述する光変調装置３４３に重畳させる。
偏光変換素子３１４は、第２レンズアレイ３１３から入射される複数の部分光束の偏光方向を揃えて重畳レンズ３１５に出射する。
【００２２】
［色分離装置の構成］
色分離装置３２は、均一化装置３１から入射される光束を、赤（Ｒ）、緑（Ｇ）及び青（Ｂ）の３つの色光に分離する。この色分離装置３２は、それぞれ板状のダイクロイックミラー３２１，３２３及び反射ミラー３２２と、コンデンサレンズ３２４，３２５と、を有する。
ダイクロイックミラー３２１は、青色光を反射させ、緑色光及び赤色光を透過させる。
反射ミラー３２２は、ダイクロイックミラー３２１にて分離されてレンズ３２４を介して入射される青色光を、青色光用のフィールドレンズ３４１に向けて反射させる。
ダイクロイックミラー３２３は、ダイクロイックミラー３２１にて分離されてコンデンサレンズ３２５を介して入射される緑色光及び赤色光のうち、緑色光を反射させ、赤色光を透過させる。この緑色光は、緑色光用のフィールドレンズ３４１に入射され、赤色光は、リレー装置３３に入射される。
コンデンサレンズ３２４，３２５は、光入射面が所定の曲率を有する曲面とされ、光出射面がレンズ光軸（後述する照明光軸Ａｘと一致）に直交する平坦面とされた平凸レンズである。
【００２３】
［リレー装置の構成］
リレー装置３３は、青色光及び緑色光（それぞれ他の色光）に比べて光路が長い赤色光（第１色光）の光路上に設けられる。このリレー装置３３は、入射側レンズ３３１、リレーレンズ３３３及び反射ミラー３３２，３３４を有する。
入射側レンズ３３１には、色分離装置３２によって分離された赤色光を集光する。反射ミラー３３２は、第１反射部材に相当し、入射側レンズ３３１から入射される赤色光を反射させてリレーレンズ３３３に入射させる。リレーレンズ３３３は、反射ミラー３３２から入射される赤色光を、反射ミラー３３４に導く。反射ミラー３３４は、第２反射部材に相当し、リレーレンズ３３３から入射される赤色光を、後述するフィールドレンズ３４１Ｒ等を介して、赤色光用の光変調装置３４３Ｒに導く。
これらのうち、入射側レンズ３３１及びリレーレンズ３３３は、それぞれ光入射面及び光出射面が、所定の曲率を有する曲面状に形成された両凸レンズである。
なお、本実施形態では、リレー装置３３を通過する色光は赤色光であるが、これに限らず、他の色光（例えば青色光）がリレー装置３３を通過する構成としてもよい。
【００２４】
［画像形成装置の構成］
画像形成装置３４は、色分離装置３２によって分離された各色光を画像情報に応じて変調した後、当該各色光を合成して画像光を形成する。この画像形成装置３４は、色光毎に設けられるフィールドレンズ３４１、入射側偏光板３４２、光変調装置３４３及び出射側偏光板３４４と、各光変調装置３４３によって変調された各色光を合成する１つの色合成装置３４５と、を有する。
フィールドレンズ３４１（赤、緑及び青用のフィールドレンズをそれぞれ３４１Ｒ，３４１Ｇ，３４１Ｂとする）は、入射される色光を平行化して出射する光学部品である。これらのうち、フィールドレンズ３４１Ｒは、光入射面及び光出射面のそれぞれが曲面状に形成された両凸レンズである。また、フィールドレンズ３４１Ｂ，３４１Ｇは、光入射面が曲面であり、光出射面が平坦面である平凸レンズである。
光変調装置（赤、緑及び青用の光変調装置をそれぞれ３４３Ｒ，３４３Ｇ，３４３Ｂとする）は、本実施形態では、液晶パネルを有する構成が採用されている。
色合成装置３４５は、本実施形態ではクロスダイクロイックプリズムにより構成されているが、複数のダイクロイックミラーを組み合わせた構成としてもよい。
【００２５】
［投射光学装置の構成］
投射光学装置３５は、画像形成装置３４により形成された画像光を上記被投射面上に拡大投射する。この投射光学装置３５は、図示を省略するが、複数のレンズと、当該複数のレンズを収容する鏡筒と、を有する組レンズとして構成できる。
【００２６】
［光学部品用筐体の構成］
図２は、光学部品用筐体４を示す平面図である。
光学部品用筐体４は、本発明の保持筐体に相当し、上記照明光軸Ａｘにおける所定位置に、上記装置３１〜３３を構成するレンズ及びミラー等の光学部品を内部に収容及び保持する。この光学部品用筐体４は、図２に示すように、当該光学部品が配置される部品収納部材５と、当該部品収納部材５に取り付けられる蓋部材６と、を備えて構成される。
【００２７】
以下の説明では、上記光源装置３０から出射された光の進行方向を＋Ｚ方向とし、当該＋Ｚ方向に直交し、かつ、互いに直交する二方向を＋Ｘ方向及び＋Ｙ方向とする。これらのうち、＋Ｘ方向を、ダイクロイックミラー３２３にて反射された緑色光の進行方向とし、＋Ｙ方向を、部品収納部材５から蓋部材６に向かう方向とする。なお、＋Ｘ方向は、ダイクロイックミラー３２１にて反射された青色光の進行方向、及び、反射ミラー３３２にて反射された赤色光の進行方向と一致し、更には、＋Ｙ方向側から見て投射光学装置３５による画像光の投射方向と一致する。
また、図示を省略するが、＋Ｚ方向とは反対方向を−Ｚ方向とする。−Ｘ方向及び−Ｙ方向も同様である。
【００２８】
［部品収納部材の構成］
図３及び図４は、部品収納部材５の内部構成を示す平面図である。これらのうち、図３では、部品収納部材５の内部に配置される光学部品を図示し、図４では、当該光学部品の図示を省略している。
部品収納部材５は、図３及び図４に示すように、合成樹脂や金属により断面略Ｕ字状に形成された箱状筐体である。この部品収納部材５は、底面部５Ａと、当該底面部５Ａの周縁から起立する側壁５Ｂと、当該側壁５Ｂによって端縁が形成され、上記光学部品を部品収納部材５の内部に挿入するための開口部５Ｃと、を有する。この開口部５Ｃは、蓋部材６によって閉塞される。
このような部品収納部材５は、上記装置３１〜３３を構成する光学部品が収容される収容部５１〜５３と、フィールドレンズ３４１がそれぞれ収容される収容部５４〜５６と、を有する。これら収容部５１〜５６は、上記側壁５Ｂに形成され、かつ、対応する光学部品が挿入される少なくとも１つの溝部を有する。
【００２９】
［青色光用及び緑色光用のフィールドレンズが収容される収容部］
ここで、収容部５４〜５６について、先に説明する。
収容部５４〜５６は、部品収納部材５における平面視略Ｕ字状部分の内側端縁に沿って、それぞれ独立して設けられている。
収容部５４は、フィールドレンズ３４１Ｂを収容する。この収容部５４は、図４に示すように、当該レンズ３４１Ｂにおける＋Ｘ方向側の端部が挿入される溝部５４１と、−Ｘ方向側の端部が配置される略Ｌ字状の段差部５４２と、−Ｙ方向側の部位が当接する押さえ部５４３と、を有する。なお、段差部５４２は、−Ｚ方向側に開放されている。
【００３０】
溝部５４１の内面における＋Ｚ方向側の面、及び、段差部５４２における＋Ｚ方向側の面は、レンズ３４１Ｂの平坦面である光出射面が当接されてレンズ３４１Ｂの保持位置を規定する基準部ＳＴを有する基準面ＳＰである。以下、このように保持対象となるレンズの保持位置を規定する基準部を、基準部ＳＴとし、当該基準部を有する基準面を、基準面ＳＰという。
そして、レンズ３４１Ｂにおける＋Ｙ方向側の端部と当接する押圧部材ＰＭ（図５参照）によって、レンズ３４１Ｂが基準面ＳＰ側に押圧されることにより、当該レンズ３４１Ｂは、収容部５４に保持される。
押さえ部５４３は、押圧部材ＰＭがレンズ３４１Ｂを基準面ＳＰ側に押圧する際に、＋Ｘ方向に沿う軸を中心として当該レンズ３４１Ｂが回動することを抑制する。この他、押さえ部５４３は、レンズ３４１Ｂが収容部５４に保持された際に、当該レンズ３４１Ｂにおける−Ｙ方向側の端部を押さえ、当該端部が−Ｚ方向側にずれることを抑制する。
【００３１】
収容部５５は、フィールドレンズ３４１Ｇを収容する。この収容部５５は、図３及び図４に示すように、収容部５４と同様の構成を有する。具体的に、収容部５５は、図４に示すように、レンズ３４１Ｇにおける＋Ｚ方向側の端部が挿入される溝部５５１と、−Ｚ方向側の端部が配置される略Ｌ字状の段差部５５２と、−Ｙ方向側の端部が当接する押さえ部５５３と、を有する。このような収容部５５は、上記収容部５４と同様に、レンズ３４１Ｇを保持する。
【００３２】
これら収容部５４，５５は、上記のように、一方側に溝部５４１，５５１を有し、他方側に段差部５４２，５５２を有する構成である。これは、段差部５４２，５５２に代えて、溝部５４１，５５１と同様の溝部を形成しようとする場合、各レンズ３４１Ｂ，３４１Ｇに対する光入射側に側壁５Ｂを突出させる必要があり、突出させた部分が各レンズ３４１Ｂ，３４１Ｇに入射される光を遮蔽してしまうおそれがあるためである。なお、側壁５Ｂを突出させた場合でも、青色光及び緑色光の各光路を延ばすことによって、これら色光が遮蔽されることを抑制することも考えられる。しかしながら、この場合には、部品収納部材５、ひいては、光学部品用筐体４が大型になる。
これらを考慮し、部品収納部材５の小型化を実現しつつ、各レンズ３４１Ｂ，３４１Ｇに入射される光が遮蔽されないようにするために、各収容部５４，５５は、上記した構成となっている。
【００３３】
［赤色光用のフィールドレンズが収容される収容部］
収容部５６は、図３及び図４に示すように、両凸レンズであるフィールドレンズ３４１Ｒを収容する。この収容部５６は、図４に示すように、当該レンズ３４１Ｒにおける＋Ｘ方向側及び−Ｘ方向側の端部がそれぞれ挿入される溝部５６１，５６２と、これら溝部５６１，５６２近傍で、かつ、レンズ３４１Ｒに対する光入射側（＋Ｚ方向側）にそれぞれ位置する押さえ部５６３，５６４と、を有する。
溝部５６１，５６２は、互いに対向しており、−Ｙ方向に沿ってレンズ３４１Ｒが挿入される。これら溝部５６１，５６２の内面のうち、レンズ３４１Ｒに対する光出射側の面（−Ｚ方向側の面）は、当該レンズ３４１Ｒの光出射面における＋Ｘ方向側の部位及び−Ｘ方向側の部位が当接される基準部ＳＴを含む基準面ＳＰである。そして、蓋部材６に設けられた押圧部６２（図５参照）が、レンズ３４１Ｒにおける＋Ｙ方向側の端部と当接し、当該レンズ３４１Ｒを基準部ＳＴに向けて押圧することによって、当該レンズ３４１Ｒは収容部５６に保持される。
【００３４】
押さえ部５６３，５６４は、レンズ３４１Ｒの光入射面における−Ｙ方向側の部位がそれぞれ当接する。これら押さえ部５６３，５６４は、押圧部６２がレンズ３４１Ｒを基準部ＳＴに向けて押圧する際に、当該−Ｙ方向側の部位を押さえて、＋Ｘ方向に沿う軸を中心として当該レンズ３４１Ｒが回動することを抑制する。
これら押さえ部５６３，５６４は、図３及び図４では詳しい図示を省略するが、それぞれ側壁５Ｂ側から収容部５６の中央に向かうに従って、底面部５Ａからの突出量が小さくなる傾斜部を有する。この傾斜部と底面部５Ａとの傾斜角は、略４５°に設定されている。これら押さえ部５６３，５６４は、当該傾斜部においてレンズ３４１Ｒと対向する面（押さえ部５６３，５６４における光出射側の面）の＋Ｙ方向側の端縁にて当該レンズ３４１Ｒの光入射面と当接する。
【００３５】
［均一化装置が収容される収容部］
収容部５１は、均一化装置３１を構成する各光学部品が配置される。例えば、収容部５１は、図３及び図４に示すように、重畳レンズ３１５が配置されるレンズ配置部５１１を有する。
このレンズ配置部５１１は、図４に示すように、重畳レンズ３１５における＋Ｘ方向側及び−Ｘ方向側の各端部が挿入される溝部５１１１，５１１２と、これら溝部５１１１，５１１２近傍で、かつ、レンズ３１５に対する光出射側（＋Ｘ方向側）にそれぞれ位置する押さえ部５１１３，５１１４と、を有する。なお、詳しい図示を省略するが、押さえ部５１１３，５１１４も、上記押さえ部５６３，５６４と同様に、＋Ｙ方向側の端部が底面部５Ａに対して傾斜している。
溝部５１１１，５１１２の内面のうちレンズ３１５に対する光入射側の面（−Ｚ方向側の面）が、当該レンズ３１５における平坦面である光入射面と当接される基準部ＳＴを有する基準面ＳＰである。
このようなレンズ配置部５１１の各構成も、上記収容部５６の各構成と同様に機能して、光入射面が基準部ＳＴ（基準面ＳＰ）に当接した状態にてレンズ３１５は保持される。
【００３６】
［色分離装置が収容される収容部］
収容部５２は、図３及び図４に示すように、ミラー配置部５２１〜５２３及びレンズ配置部５２４，５２５を有し、これらに色分離装置３２を構成する光学部品が収容される。
ミラー配置部５２１は、図４に示すように、上記ダイクロイックミラー３２１が配置される部位である。このミラー配置部５２１は、当該ミラー３２１における＋Ｘ方向側の端部及び−Ｘ方向側の端部（換言すると、＋Ｚ方向側の端部及び−Ｚ方向側の端部）が挿入される溝部５２１１，５２１２を有する。
ミラー配置部５２２は、上記反射ミラー３２２が配置される部位である。この反射ミラー３２２は、反射された青色光をフィールドレンズ３４１Ｂに入射させる必要があるため、ミラー配置部５２２は、当該反射ミラー３２２を位置調整可能に構成されている。
ミラー配置部５２３は、上記ダイクロイックミラー３２３が配置される部位である。このミラー配置部５２３は、当該ミラー３２３における＋Ｘ方向側の端部及び−Ｘ方向側の端部が−Ｙ方向に沿って挿入される溝部５２３１，５２３２を有する。
【００３７】
レンズ配置部５２４は、上記コンデンサレンズ３２４が配置される部位である。このレンズ配置部５２４は、上記収容部５６と同様に、レンズ３２４における＋Ｚ方向側及び−Ｚ方向側の端部がそれぞれ挿入される溝部５２４１，５２４２と、これら溝部５２４１，５２４２近傍で、レンズ３２４に対する光入射側（−Ｘ方向側）にそれぞれ位置する押さえ部５２４３，５２４４と、を有する。これら押さえ部５２４３，５２４４も、＋Ｙ方向側の端部が底面部５Ａに対して傾斜している。
溝部５２４１，５２４２の内面のうちレンズ３２４に対する光出射側の面（＋Ｘ方向側の面）が、当該レンズ３２４における光出射面（平坦面である光出射面）の＋Ｚ方向側及び−Ｚ方向側の各端部が当接される基準部ＳＴを有する基準面ＳＰである。
【００３８】
レンズ配置部５２５は、上記コンデンサレンズ３２５が配置される部位である。このレンズ配置部５２５も、上記収容部５６と同様に、レンズ３２５における＋Ｘ方向側及び−Ｘ方向側の端部がそれぞれ挿入される溝部５２５１，５２５２と、これら溝部５２５１，５２５２近傍で、レンズ３２５に対する光入射側（−Ｚ方向側）にそれぞれ位置する押さえ部５２５３，５２５４と、を有する。なお、押さえ部５２５３，５２５４も、＋Ｙ方向側の端部が底面部５Ａに対して傾斜している。
溝部５２５１，５２５２の内面のうちレンズ３２５に対する光出射側の面（＋Ｚ方向側の面）が、当該レンズ３２５における光出射面（平坦面である光出射面）の＋Ｘ方向側及び−Ｘ方向側の各端部が当接される基準部ＳＴを有する基準面ＳＰである。
これらレンズ配置部５２４，５２５の各構成も、上記収容部５６の各構成と同様に機能して、レンズ３２４，３２５の光出射面が上記基準部ＳＴ（基準面ＳＰ）に当接した状態で保持される。
【００３９】
［リレー装置が収容される収容部］
リレー装置３３が収容される収容部５３は、図３及び図４に示すように、レンズ配置部５３１，５３３及びミラー配置部５３２，５３４を有する。
これらのうち、ミラー配置部５３２は、図４に示すように、上記反射ミラー３３２が配置される部位である。このミラー配置部５３２は、当該反射ミラー３３２における＋Ｘ方向側及び−Ｘ方向側の各端部（換言すると、＋Ｚ方向側及び−Ｚ方向側の各端部）が挿入される溝部５３２１，５３２２を有する。
ミラー配置部５３４は、上記反射ミラー３３４が配置される部位である。この反射ミラー３３４は、上記反射ミラー３２２と同様に、反射された赤色光をフィールドレンズ３４１Ｒに入射させる必要があるため、ミラー配置部５３４は、当該反射ミラー３３４を位置調整可能に構成されている。
【００４０】
［入射側レンズが配置されるレンズ配置部］
レンズ配置部５３１は、上記入射側レンズ３３１が配置される部位である。このレンズ配置部５３１は、図３及び図４に示すように、それぞれ入射側レンズ３３１を保持可能な第１保持部５３１Ａ（第１入射側レンズ保持部）及び第２保持部５３１Ｂ（第２入射側レンズ保持部）を有する。
これら第１保持部５３１Ａ及び第２保持部５３１Ｂは、上記照明光軸Ａｘ上に入射側レンズ３３１を保持する保持部であるが、第１保持部５３１Ａは、第２保持部５３１Ｂに対して−Ｚ方向側（赤色光の光路における上流側）に位置している。そして、入射側レンズ３３１は、第１保持部５３１Ａ及び第２保持部５３１Ｂのうち、一方に配置される。このような第１保持部５３１Ａ及び第２保持部５３１Ｂは、それぞれ同じ構成を有する。
【００４１】
具体的に、第１保持部５３１Ａは、図４に示すように、入射側レンズ３３１における＋Ｘ方向側及び−Ｘ方向側の各端部が挿入可能な溝部５３１１，５３１２と、これら溝部５３１１，５３１２近傍で、レンズ３３１に対する光入射側（−Ｚ方向側）にそれぞれ位置する押さえ部５３１３，５３１４と、を有する。これら溝部５３１１，５３１２の内面のうちレンズ３３１に対する光出射側の面（＋Ｚ方向側の面）が、当該レンズ３３１において凸曲面である光出射面の＋Ｘ方向側及び−Ｘ方向側の各端部が当接される基準部ＳＴを有する基準面ＳＰである。
なお、押さえ部５３１３，５３１４も、＋Ｙ方向側の端部が底面部５Ａに対して傾斜している。
【００４２】
また、第２保持部５３１Ｂは、入射側レンズ３３１における＋Ｘ方向側及び−Ｘ方向側の各端部が挿入可能な溝部５３１５，５３１６と、これら溝部５３１５，５３１６近傍で、かつ、レンズ３３１に対する光入射側（−Ｚ方向側）にそれぞれ位置する押さえ部５３１７，５３１８と、を有する。なお、押さえ部５３１７，５３１８も、＋Ｙ方向側の端部が底面部５Ａに対して傾斜している。
溝部５３１５，５３１６の内面のうちレンズ３３１に対する光出射側の面が、当該レンズ３３１における光出射面の＋Ｘ方向側及び−Ｘ方向側の各端部が当接される基準部ＳＴを有する基準面ＳＰである。
なお、本実施形態では、溝部５３１５，５３１６の溝幅（＋Ｚ方向に沿う寸法）は、溝部５３１１，５３１２の溝幅より大きいが、小さくても同じでもよい。
【００４３】
［リレーレンズが配置されるレンズ配置部］
レンズ配置部５３３は、上記リレーレンズ３３３が配置される部位である。このレンズ配置部５３３は、図３及び図４に示すように、レンズ配置部５３１と同様に、それぞれリレーレンズ３３３を保持可能な第１保持部５３３Ａ（第１リレーレンズ保持部）及び第２保持部５３３Ｂ（第２リレーレンズ保持部）を有する。
これら第１保持部５３３Ａ及び第２保持部５３３Ｂも、上記照明光軸Ａｘ上にリレーレンズ３３３を保持する保持部であるが、第１保持部５３３Ａは、第２保持部５３３Ｂに対して−Ｘ方向側（赤色光の光路における上流側）に位置している。そして、リレーレンズ３３３は、第１保持部５３３Ａ及び第２保持部５３３Ｂのうち、一方に配置される。このような第１保持部５３３Ａ及び第２保持部５３３Ｂは、それぞれ同じ構成を有する。
【００４４】
具体的に、第１保持部５３３Ａは、図４に示すように、リレーレンズ３３３における＋Ｚ方向側及び−Ｚ方向側の各端部が挿入可能な溝部５３３１，５３３２と、これら溝部５３３１，５３３２近傍で、レンズ３３３に対する光入射側（−Ｘ方向側）にそれぞれ位置する押さえ部５３３３，５３３４と、を有する。なお、押さえ部５３３３，５３３４も、＋Ｙ方向側の端部が底面部５Ａに対して傾斜している。
溝部５３３１，５３３２の内面のうちレンズ３３３に対する光出射側の面（＋Ｘ方向側の面）が、当該レンズ３３３における光出射面（曲面である光出射面）の＋Ｚ方向側及び−Ｚ方向側の各端部が当接される基準部ＳＴを有する基準面ＳＰである。
【００４５】
また、第２保持部５３３Ｂは、リレーレンズ３３３における＋Ｚ方向側及び−Ｚ方向側の各端部が挿入可能な溝部５３３５，５３３６と、これら溝部５３３５，５３３６近傍で、かつ、レンズ３３３に対する光入射側（−Ｚ方向側）にそれぞれ位置する押さえ部５３３７，５３３８と、を有する。なお、押さえ部５３３７，５３３８も、＋Ｙ方向側の端部が底面部５Ａに対して傾斜している。
溝部５３３５，５３３６の内面のうちレンズ３３３に対する光出射側の面（＋Ｘ方向側の面）が、当該レンズ３３３における光出射面の＋Ｘ方向側及び−Ｘ方向側の各端部が当接される基準部ＳＴを有する基準面ＳＰである。
なお、本実施形態では、溝部５３３５，５３３６の溝幅（＋Ｘ方向に沿う寸法）は、溝部５３３１，５３３２の溝幅より大きいが、小さくても同じでもよい。
【００４６】
［蓋部材の構成］
図５は、蓋部材６を部品収納部材５側（−Ｙ方向側）から見た図である。なお、図５においては、レンズ３１５，３２４，３２５，レンズ３３１，３３３，３４１を二点鎖線にて示している。これらのうち、入射側レンズ３３１及びリレーレンズ３３３は、それぞれ第２保持部５３１Ｂ，５３３Ｂに配置された状態が示されている。
蓋部材６は、図２に示すように、＋Ｙ方向側から部品収納部材５に取り付けられ、上記開口部５Ｃ（図３及び図４参照）を閉塞する。この蓋部材６は、図２及び図５に示すように、部品収納部材５と組み合わされた際に、上記反射ミラー３２２，３３４の一部に応じた切欠６１を有する。これら切欠６１を介して光学部品用筐体４の外部から反射ミラー３２２，３３４の位置調整が可能である。
このような蓋部材６は、一部を残して周囲が切り欠かれることによって＋Ｙ方向に沿う弾性変形が可能なレンズ押圧部６２及びミラー押圧部６３，６４と、押圧部材ＰＭとを有し、これら押圧部６２〜６４及び押圧部材ＰＭによって、部品収納部材５内に配置された光学部品が押圧されて保持される。
【００４７】
［押圧部材の構成］
押圧部材ＰＭは、蓋部材６において部品収納部材５と対向する底面６Ａのうち、上記収容部５４，５５に応じた位置にそれぞれ設けられ、フィールドレンズ３４１Ｂ，３４１Ｇを上記基準部ＳＴ（基準面ＳＰ）に向かって押圧する。これら押圧部材ＰＭは、押圧対象のフィールドレンズ３４１の光出射側に向かうに従って、底面６Ａからの突出量（−Ｙ方向側への突出量）が小さくなる傾斜部ＰＭ１を有する。この傾斜部ＰＭ１は、＋Ｙ方向に沿う弾性を有し、当該傾斜部ＰＭ１が、押圧対象のフィールドレンズ３４１における＋Ｙ方向側の端部に当接して、当該レンズ３４１Ｂ，３４１Ｇを上記基準部ＳＴ（基準面ＳＰ）側に押圧する。
【００４８】
［ミラー押圧部の構成］
ミラー押圧部６３は、部品収納部材５と組み合わされた際に、ミラー３２１，３２３に応じてそれぞれ２つずつ設けられている。これらミラー押圧部６３は、ミラー３２１，３２３のうち押圧対象である対象ミラーを光入射側に押圧付勢する傾斜部６３１を、先端部（周囲が切り欠かれていない基端部とは反対側の端部）に有する。この先端部は、ミラー押圧部６３が弾性変形する際の移動端である。そして、各ミラー押圧部６３は、当該傾斜部６３１によって、溝部の内面における光入射側の面に向けて、対象ミラーを押圧付勢する。
【００４９】
ミラー押圧部６４は、部品収納部材５と組み合わされた際に、反射ミラー３３２に応じて２つ設けられている。これら押圧部６４は、反射ミラー３３２を光入射側とは反対側に向けて押圧付勢する傾斜部６４１を、先端部（周囲が切り欠かれていない基端部とは反対側の端部）に有する。この先端部も、押圧部６４が弾性変形する際の移動端である。そして、ミラー押圧部６４は、当該傾斜部６４１によって、溝部５３２１，５３２２の内面における光入射側とは反対側の面に向けて、反射ミラー３３２を押圧付勢する。
【００５０】
［レンズ押圧部の構成］
レンズ押圧部６２は、部品収納部材５と組み合わされた際に、各レンズ３１５，３２４，３２５，３３１，３３３，３４１Ｒに応じてそれぞれ２つずつ設けられている。これらのうち、入射側レンズ３３１に応じて設けられるレンズ押圧部６２は、第１保持部５３１Ａ及び第２保持部５３１Ｂに応じてそれぞれ２つずつ設けられている。また、リレーレンズ３３３に応じて設けられるレンズ押圧部６２も、第１保持部５３３Ａ及び第２保持部５３３Ｂに応じてそれぞれ２つずつ設けられている。
これらレンズ押圧部６２は、上記レンズ３１５，３２４，３２５，３３１，３３３，３４１Ｒのうち押圧対象である対象レンズを光出射側に押圧付勢する傾斜部６２１を、当該レンズ押圧部６２の先端部（周囲が切り欠かれていない基端部とは反対側の端部）に有する。この先端部は、押圧部６２が弾性変形する際の移動端である。
【００５１】
図６は、コンデンサレンズ３２５と、当該レンズ３２５を押圧するレンズ押圧部６２とを示す模式図である。また、図７は、リレーレンズ３３３と、当該レンズ３３３を押圧するレンズ押圧部６２とを示す模式図である。
傾斜部６２１は、図６及び図７に示すように、対象レンズの光出射側に向かうに従って部品収納部材５側への突出量（−Ｙ方向への突出量）が小さくなるように傾斜している。この傾斜部６２１によって、各レンズ押圧部６２は、溝部の内面における上記基準部ＳＴに向けて対象レンズを押圧付勢する。これにより、対象レンズが保持される。
【００５２】
例えば、コンデンサレンズ３２５を押圧する２つの押圧部６２のうち、＋Ｘ方向側に位置する押圧部６２は、図６に示すように、当該レンズ３２５における＋Ｙ方向側で＋Ｘ方向側の端部を光出射側（＋Ｚ方向側）に押圧する。また、図示を省略するが、−Ｘ方向側に位置する押圧部６２は、−Ｘ方向側の端部を光出射側に押圧する。これにより、コンデンサレンズ３２５は、＋Ｘ方向に沿う軸を中心として回動する。この回動によって、押さえ部５２５３，５２５４（図６では押さえ部５２５４は図示省略）においてレンズ３２５と対向する光出射側の面における＋Ｙ方向側の端縁に、当該レンズ３２５における光入射面の一部が当接し、光出射面における＋Ｘ方向側及び−Ｘ方向側の部位が、基準部ＳＴ（基準面ＳＰ）と当接する。この状態にて、蓋部材６が部品収納部材５に固定されることにより、レンズ３２５がレンズ配置部５２５に配置及び保持される。
なお、重畳レンズ３１５及びコンデンサレンズ３２４についても同様である。
【００５３】
また例えば、リレーレンズ３３３が上記第２保持部５３３Ｂに配置された場合、当該第２保持部５３３Ｂに応じて設けられた２つの押圧部６２のうち、−Ｚ方向側に位置する押圧部６２は、図７に示すように、当該レンズ３３３における＋Ｙ方向側で−Ｚ方向側の端部を光出射側（＋Ｘ方向側）に押圧する。また、図示を省略するが、＋Ｚ方向側に位置する押圧部６２は、＋Ｚ方向側の端部を光出射側に押圧する。これにより、リレーレンズ３３３は、＋Ｚ方向に沿う軸を中心として回動する。この回動によって、押さえ部５３３７，５３３８（図７では押さえ部５３３７は図示省略）においてレンズ３３３と対向する光出射側の面における＋Ｙ方向側の端縁に、当該レンズ３３３における光入射面の一部が当接し、光出射面における＋Ｚ方向側及び−Ｚ方向側の部位が、基準面ＳＰにおける基準部ＳＴと当接する。この状態にて、蓋部材６が部品収納部材５に固定されることにより、レンズ３３３が第２保持部５３３Ｂに配置及び保持される。
なお、リレーレンズ３３３が、上記第１保持部５３３Ａに配置される場合も同様であり、入射側レンズ３３１及びフィールドレンズ３４１Ｒについても同様である。
【００５４】
［入射側レンズ及びリレーレンズを保持する保持部の選択］
図８は、入射側レンズ３３１及びリレーレンズ３３３が第１保持部５３１Ａ，５３３Ａに配置された画像投射装置３を示す斜視図である。また、図９は、これらレンズ３３１，３３３が第２保持部５３１Ｂ，５３３Ｂに配置された画像投射装置３を示す斜視図である。なお、図８及び図９では、蓋部材６の図示を省略している。
レンズ配置部５３１において入射側レンズ３３１が配置される保持部、及び、レンズ配置部５３３においてリレーレンズ３３３が配置される保持部は、プロジェクター１の仕様に基づいて選択される。
【００５５】
例えば、入射側レンズ３３１及びリレーレンズ３３３には、上記光変調装置３４３を構成する液晶パネルのアスペクト比及び解像度等の特性に応じたレンズが採用され、当該特性に応じてレンズの配置位置が決定される。
このため、ある特性を有する液晶パネルが採用される場合には、図８に示すように、あるレンズ特性を有する入射側レンズ３３１Ａ（第１入射側レンズ）及びリレーレンズ３３３Ａ（第１リレーレンズ）が、第１保持部５３１Ａ，５３３Ａに配置される。
また、当該特性とは異なる特性を有する液晶パネルが採用される場合には、図９に示すように、レンズ３３１Ａ，３３３Ａとはレンズ特性が異なる入射側レンズ３３１Ｂ（第２入射側レンズ）及びリレーレンズ３３３Ｂ（第２リレーレンズ）が、第２保持部５３１Ｂ，５３３Ｂに配置される。これらのうち、レンズ３３１Ａ，３３３Ａは、第１光学部品に相当し、レンズ３３１Ｂ，３３３Ｂは、第２光学部品に相当する。なお、本実施形態では、レンズ３３１Ｂの厚み（光軸に沿う方向における寸法）は、レンズ３３１Ａの厚みより大きく、レンズ３３３Ｂの厚みは、レンズ３３３Ａの厚みより大きい。
【００５６】
このように、プロジェクター１では、入射側レンズ３３１（３３１Ａ，３３１Ｂ）を保持させる保持部を、第１保持部５３１Ａ及び第２保持部５３１Ｂから選択でき、リレーレンズ３３３（３３３Ａ，３３３Ｂ）を保持させる保持部を、第１保持部５３３Ａ及び第２保持部５３３Ｂから選択できる。
これにより、各レンズ３３１，３３３の配置位置及び特性を変えることによって、上記光学部品用筐体４を利用して、異なる照明系を構成できる。例えば、第１保持部５３１Ａに配置される入射側レンズ３３１Ａ、及び、第１保持部５３３Ａに配置されるリレーレンズ３３３Ａを有する第１照明系と、第２保持部５３１Ｂに配置される入射側レンズ３３１Ｂ、及び、第２保持部５３３Ｂに配置されるリレーレンズ３３３Ｂを有する第２照明系とを、光学部品用筐体４を利用して構成できる。このため、第１保持部５３１Ａ，５３３Ａを有する光学部品用筐体４と、第２保持部５３１Ｂ，５３３Ｂを有する光学部品用筐体４とを、それぞれ設計及び製造し直す必要がない。従って、光学部品用筐体４の設計及び製造コスト、ひいては、プロジェクター１の製造コストを低減できる。
【００５７】
［実施形態の効果］
以上説明した本実施形態に係るプロジェクター１によれば、以下の効果がある。
入射側レンズ３３１Ａ及びリレーレンズ３３３Ａ（それぞれ第１光学部品）を用いる場合には、第１保持部５３１Ａ，５３３Ａを利用することにより、これらレンズ３３１Ａ，３３３Ａを光学部品用筐体４に配置できる。また、これらレンズ３３１Ａ，３３３Ａより光軸に沿う寸法が大きい入射側レンズ３３１Ｂ及びリレーレンズ３３３Ｂ（それぞれ第２光学部品）を用いる場合には、照明光軸Ａｘ上の位置が第１保持部５３１Ａ，５３３Ａとは異なる第２保持部５３１Ｂ，５３３Ｂを利用することにより、これらレンズ３３１Ｂ，３３３Ｂを光学部品用筐体４に配置できる。これにより、異なる照明系を構成できる。この他、当該照明系に合わせて光学部品筐体を設計及び製造する必要がなく、当該光学部品用筐体４を共通して利用できる。従って、光学部品用筐体４の設計及び製造コストを低減でき、ひいては、プロジェクター１の製造コストを低減できる。
更に、各レンズ３３１，３３３に溝部に挿入されるフランジ部を設ける必要がないので、これらレンズ３３１，３３３及び光学部品用筐体４が大型化することを抑制できる。
【００５８】
リレー装置３３を構成する入射側レンズ３３１及びリレーレンズ３３３を、第１保持部５３１Ａ，５３３Ａ及び第２保持部５３１Ｂ，５３３Ｂのいずれかに配置できるので、プロジェクター１の仕様に合わせた照明系を確実に構成できる。
【００５９】
入射側レンズ３３１Ａが第１保持部５３１Ａに配置される場合には、リレーレンズ３３３Ａは、第１保持部５３３Ａに配置される。また、入射側レンズ３３１Ｂが第２保持部５３１Ｂに配置される場合には、リレーレンズ３３３Ｂは、第２保持部５３３Ｂに配置される。これによれば、入射側レンズ３３１及びリレーレンズ３３３の配置に応じて、構成される照明系を確実に異ならせることできる。従って、プロジェクター１の仕様に合わせた照明系を確実に構成できる。
【００６０】
光学部品用筐体４は、第１筐体としての部品収納部材５と、第２筐体としての蓋部材６とを備える。部品収納部材５は、それぞれ上記した第１保持部５３１Ａ，５３３Ａ及び第２保持部５３１Ｂ，５３３Ｂを有する。これら第１保持部５３１Ａ，５３３Ａ及び第２保持部５３１Ｂ，５３３Ｂは、それぞれ入射側レンズ３３１及びリレーレンズ３３３の位置を規定する基準部ＳＴを有する。また、蓋部材６は、第１保持部５３１Ａ，５３３Ａ及び第２保持部５３１Ｂ，５３３Ｂのいずれかに保持されたレンズ３３１，３３３を基準部ＳＴに押圧する押圧部６２を有する。これによれば、各基準部ＳＴにレンズ３３１，３３３を押圧固定できる。従って、第１保持部５３１Ａ，５３３Ａ及び第２保持部５３１Ｂ，５３３Ｂのいずれかにレンズ３３１，３３３を配置する場合でも、当該保持部にレンズ３３１，３３３を安定して保持させることができる。
【００６１】
［実施形態の変形］
本発明は、上記実施形態に限定されるものではなく、本発明の目的を達成できる範囲での変形、改良等は本発明に含まれるものである。
上記実施形態では、第１光学部品として入射側レンズ３３１Ａ及びリレーレンズ３３３Ａを挙げ、第２光学部品として入射側レンズ３３１Ｂ及びリレーレンズ３３３Ｂを挙げた。しかしながら、これに限らず、リレー装置３３を構成するレンズでなくてもよい。また、第１光学部品及び第２光学部品に相当するレンズは、照明光軸において位置を違えて利用される他のレンズであってもよく、例えば、反射部材であってもよい。
【００６２】
上記実施形態では、部品収納部材５は、入射側レンズ３３１Ａを保持する第１保持部５３１Ａと、入射側レンズ３３１Ｂを保持する第２保持部５３１Ｂとを有する他、リレーレンズ３３３Ａを保持する第１保持部５３３Ａと、リレーレンズ３３３Ｂを保持する第２保持部５３３Ｂとを有するとした。しかしながら、これに限らず、部品収納部材は、保持部５３１Ａ，５３１Ｂ及び保持部５３３Ａ，５３３Ｂのうち、一方のみを有する構成としてもよい。また、ある機能を有する１種の光学部品を保持するための保持部の数は、２に限らず、３以上でもよい。
【００６３】
上記実施形態では、プロジェクター１は、色分離装置３２及びリレー装置３３を備えるとした。しかしながら、これに限らず、プロジェクターは、色分離装置３２及びリレー装置３３を備えない構成としてもよい。
また、レンズ配置部５３１において溝部５３１５，５３１６の溝幅は、溝部５３１１，５３１２の溝幅より大きいとし、レンズ配置部５３３において溝部５３３５，５３３６の溝幅は、溝部５３３１，５３３２の溝幅より大きいとした。そして、入射側レンズ３３１Ｂは、入射側レンズ３３１Ａより光軸に沿う寸法が大きく、リレーレンズ３３３Ｂは、リレーレンズ３３３Ａより光軸に沿う寸法が大きいとした。しかしながら、これに限らず、上記の大小関係は、それぞれ逆でもよい。
【００６４】
上記実施形態では、保持筐体としての光学部品用筐体４は、第１筐体としての部品収納部材５と、第２筐体としての蓋部材６と、を有するとした。そして、蓋部材６は、光学部品を基準部ＳＴに押圧する押圧部６２〜６４及び押圧部材ＰＭを有するとした。しかしながら、これに限らず、部品収納部材に光学部品が安定して保持可能であれば、蓋部材は無くてもよい。
【００６５】
上記実施形態では、押さえ部は、フィールドレンズ３４１Ｂ，３４１Ｇに応じてそれぞれ１つずつ設けられ、上記重畳レンズ３１５、コンデンサレンズ３２４，３２５、入射側レンズ３３１、リレーレンズ３３３及びフィールドレンズ３４１Ｒに応じて２つずつ設けられるとした。しかしながら、これに限らず、押さえ部の数、及び、当該押さえ部における＋Ｙ方向側の端部（傾斜部）の傾斜角は、適宜変更してよい。また、収容部５４，５５の構成を、他の収容部及びレンズ配置部に適用してもよく、収容部５６の構成を、収容部５４，５５に適用してもよい。
また、各レンズが当接する基準部ＳＴを有する基準面ＳＰは、底面部５Ａから起立していなくてもよく、側壁５Ｂから突出していてもよい。例えば、上記のように、基準面ＳＰが、対象レンズの隅部に応じた位置に配置されていてもよい。
【００６６】
上記実施形態では、プロジェクター１は、それぞれ液晶パネルを有する３つの光変調装置３４３（３４３Ｂ，３４３Ｇ，３４３Ｒ）を備えるとした。しかしながら、これに限らず、２つ以下、或いは、４つ以上の光変調装置を用いたプロジェクターにも、本発明を適用可能である。
上記実施形態では、画像投射装置３は、図１に示した略Ｌ字状に構成されていた。しかしながら、これに限らず、略Ｕ字状等の他のレイアウトに構成されていてもよい。また、画像投射装置３に採用される光学部品は、上記に限らず、適宜変更可能である。
【００６７】
上記実施形態では、光変調装置３４３は、光入射面と光出射面とが異なる透過型の液晶パネルを有するとした。しかしながら、これに限らず、光変調装置３４３は、光入射面と光出射面とが同一となる反射型の液晶パネルを有していてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【符号の説明】
【００６８】
１…プロジェクター、３０…光源装置、３１…均一化装置、３１１…第１レンズアレイ、３１３…第２レンズアレイ、３１４…偏光変換素子、３１５…重畳レンズ、３２…色分離装置、３２１，３２３…ダイクロイックミラー、３２２…反射ミラー、３２４，３２５…コンデンサレンズ、３３…リレー装置、３３１…入射側レンズ、３３１Ａ…入射側レンズ（第１光学部品）、３３１Ｂ…入射側レンズ（第２光学部品）、３３２…反射ミラー（第１反射部材）、３３３…リレーレンズ、３３３Ａ…リレーレンズ（第１光学部品）、３３３Ｂ…リレーレンズ（第２光学部品）、３３４…反射ミラー（第２反射部材）、３４１（３４１Ｂ，３４１Ｇ，３４１Ｒ）…フィールドレンズ、３４３（３４３Ｂ，３４３Ｇ，３４３Ｒ）…光変調装置、３５…投射光学装置、４…光学部品用筐体（保持筐体）、５…部品収納部材（第１筐体）、５１〜５６…収容部、５２１〜５２３，５３２，５３４…ミラー配置部、５２４，５２５，５３１，５３３…レンズ配置部、５３１Ａ…第１保持部（第１入射側レンズ保持部）、５３１Ｂ…第２保持部（第２入射側レンズ保持部）、５３３Ａ…第１保持部（第１リレーレンズ保持部）、５３３Ｂ…第２保持部（第２リレーレンズ保持部）、６…蓋部材（第２筐体）、６２…押圧部、Ａｘ…照明光軸、ＳＴ…基準部。
【図１】
2018151463.tif 000003
【図２】
2018151463.tif 000004
【図３】
2018151463.tif 000005
【図４】
2018151463.tif 000006
【図５】
2018151463.tif 000007
【図６】
2018151463.tif 000008
【図７】
2018151463.tif 000009
【図８】
2018151463.tif 000010
【図９】
2018151463.tif 000011